(57)【要約】【課題】予め定められた領域内に含まれている複数の有彩色画像のうち、予め定められた特徴を有する有彩色画像が何れであるかを視覚的に容易に判別することができる画像処理装置及びプログラムを提供する。【解決手段】画像処理部２６の取得部２６ａは、予め定められた領域内に含まれる複数の有彩色画像の各々を示す有彩色画像情報を取得し、画像処理部２６の変換部２６ｄは、複数の有彩色画像に予め定められた特徴を有する有彩色画像が含まれている場合に、予め定められた特徴を有する有彩色画像が予め定められた領域に対応する領域内で強調された無彩色画像となるように、取得部２６ａにより取得された有彩色画像情報を無彩色画像情報に変換する。【選択図】図２
2010068417.tif 000002
【特許請求の範囲】
【請求項１】
予め定められた領域内に含まれる複数の有彩色画像の各々を示す有彩色画像情報を取得する取得手段と、
前記複数の有彩色画像に、予め定められた特徴を有する有彩色画像として、予め定められた色を有する有彩色画像、背景部分との明度差が予め定められた閾値を超える有彩色画像、予め定められた形状を有する有彩色画像、前記予め定められた領域に対して予め定められた大きさを有する有彩色画像、又は前記複数の有彩色画像のうちの同一色で個数が少ない有彩色画像が含まれている場合に、前記予め定められた特徴を有する有彩色画像が前記予め定められた領域に対応する領域内で強調された無彩色画像となるように、前記取得手段により取得された有彩色画像情報を無彩色画像情報に変換するか、又は前記予め定められた特徴を有する有彩色画像が前記予め定められた領域に対応する領域内で模様により強調された有彩色画像となるように、前記取得手段により取得された有彩色画像情報を変換する変換手段と、
を備えた画像処理装置。
【請求項２】
前記変換手段は、更に、前記予め定められた特徴を有する有彩色画像以外の有彩色画像が当該有彩色画像の色彩に対応する無彩色を有する無彩色を有する無彩色画像となるように、前記取得手段により取得された有彩色画像情報を無彩色画像情報に変換する請求項１記載の画像処理装置。
【請求項３】
前記変換手段は、前記予め定められた特徴を有する有彩色画像以外の有彩色画像が、当該有彩色画像の色彩に応じた一定濃度の無彩色を有する無彩色画像となるように変換を行う請求項２に記載の画像処理装置。
【請求項４】
前記変換手段は、前記予め定められた特徴を有する有彩色画像が文字を示す有彩色画像である場合には、当該文字の背景部分が無彩色模様で装飾されるように変換を行う請求項１〜請求項３の何れか１項に記載の画像処理装置。
【請求項５】
前記変換手段は、前記予め定められた特徴を有する有彩色画像が線画を示す有彩色画像である場合には、当該線画の線種が変更されるように変換を行う請求項１〜請求項４の何れか１項に記載の画像処理装置。
【請求項６】
コンピュータを、
予め定められた領域内に含まれる複数の有彩色画像の各々を示す有彩色画像情報を取得する取得手段、及び前記複数の有彩色画像に、予め定められた特徴を有する有彩色画像として、予め定められた色を有する有彩色画像、背景部分との明度差が予め定められた閾値を超える有彩色画像、予め定められた形状を有する有彩色画像、前記予め定められた領域に対して予め定められた大きさを有する有彩色画像、又は前記複数の有彩色画像のうちの同一色で個数が少ない有彩色画像が含まれている場合に、前記予め定められた特徴を有する有彩色画像が前記予め定められた領域に対応する領域内で強調された無彩色画像となるように、前記取得手段により取得された有彩色画像情報を無彩色画像情報に変換するか、又は前記予め定められた特徴を有する有彩色画像が前記予め定められた領域に対応する領域内で模様により強調された有彩色画像となるように、前記取得手段により取得された有彩色画像情報を変換する変換手段として機能させるためのプログラム。
【請求項７】
コンピュータを、請求項１〜請求項５の何れか１項に記載の画像処理装置を構成する各手段として機能させるためのプログラム。
【発明の詳細な説明】
【技術分野】
【０００１】
本発明は、画像処理装置及びプログラムに関する。
【背景技術】
【０００２】
特許文献１には、原稿の画像情報を入力する画像入力手段と、前記画像情報から画像パターンを登録する第１の登録手段と、前記画像パターンに対応する色情報を登録する第２の登録手段と、前記第１の登録手段により登録された画像パターンを検出する検出手段と、前記検出手段により画像パターンが検出された場合は、前記第２の登録手段に登録された色情報に基づいて前記画像パターンに相当する位置に画像形成する画像形成手段と、を有する画像処理装置が開示されている。
【０００３】
また、特許文献２には、カラー原稿を白黒複写物に変換する過程で、カラー情報を白黒複写物中に混入させ、白黒複写物として流通後も必要に応じてカラー複写物に変換・復元することができるカラー画像処理装置が開示されている。
【０００４】
また、特許文献３には、ある文書の中での強調や区別の手法として、多色を使う手法と白黒で多種の形状を用いる手法とを双方向で容易に切り替えることができ、どちらの手法でも余計な記号が入らない文書を出力することができる文書処理装置が開示されている。
【０００５】
更に、特許文献４には、文字を縁取りしたり、背景のイメージを消去したり、背景に色をつけたりして文字を目立たせるための処理を行う画像処理装置が開示されている。
【特許文献１】特開平５−１４５７７６号公報
【特許文献２】特開平８−１１６４５７号公報
【特許文献３】特開平９−６２６６２号公報
【特許文献４】特開２００４−７８３２４号公報
【発明の開示】
【発明が解決しようとする課題】
【０００６】
本発明は、予め定められた領域内に含まれている複数の有彩色画像のうち、予め定められた特徴を有する有彩色画像が何れであるかを視覚的に容易に判別することができる画像処理装置及びプログラムを提供することを目的とする。
【課題を解決するための手段】
【０００７】
上記目的を達成するために、請求項１に記載の画像処理装置は、予め定められた領域内に含まれる複数の有彩色画像の各々を示す有彩色画像情報を取得する取得手段と、前記複数の有彩色画像に、予め定められた特徴を有する有彩色画像として、予め定められた色を有する有彩色画像、背景部分との明度差が予め定められた閾値を超える有彩色画像、予め定められた形状を有する有彩色画像、前記予め定められた領域に対して予め定められた大きさを有する有彩色画像、又は前記複数の有彩色画像のうちの同一色で個数が少ない有彩色画像が含まれている場合に、前記予め定められた特徴を有する有彩色画像が前記予め定められた領域に対応する領域内で強調された無彩色画像となるように、前記取得手段により取得された有彩色画像情報を無彩色画像情報に変換するか、又は前記予め定められた特徴を有する有彩色画像が前記予め定められた領域に対応する領域内で模様により強調された有彩色画像となるように、前記取得手段により取得された有彩色画像情報を変換する変換手段と、を備えている。
【０００８】
また、請求項２に記載の発明は、請求項１記載の発明において、前記変換手段が、更に、前記予め定められた特徴を有する有彩色画像以外の有彩色画像が当該有彩色画像の色彩に対応する無彩色を有する無彩色を有する無彩色画像となるように、前記取得手段により取得された有彩色画像情報を無彩色画像情報に変換するものである。
【０００９】
また、請求項３に記載の発明は、請求項２記載の発明において、前記変換手段が、前記予め定められた特徴を有する有彩色画像以外の有彩色画像が、当該有彩色画像の色彩に応じた一定濃度の無彩色を有する無彩色画像となるように変換を行うものである。
【００１０】
また、請求項４に記載の発明は、請求項１〜請求項３の何れか１項に記載の発明において、前記変換手段が、前記予め定められた特徴を有する有彩色画像が文字を示す有彩色画像である場合には、当該文字の背景部分が無彩色模様で装飾されるように変換を行うものである。
【００１１】
また、請求項５に記載の発明は、請求項１〜請求項４の何れか１項に記載の発明において、前記変換手段が、前記予め定められた特徴を有する有彩色画像が線画を示す有彩色画像である場合には、当該線画の線種が変更されるように変換を行うものである。
【００１２】
一方、上記目的を達成するために、請求項６に記載のプログラムは、コンピュータを、予め定められた領域内に含まれる複数の有彩色画像の各々を示す有彩色画像情報を取得する取得手段、及び前記複数の有彩色画像に、予め定められた特徴を有する有彩色画像として、予め定められた色を有する有彩色画像、背景部分との明度差が予め定められた閾値を超える有彩色画像、予め定められた形状を有する有彩色画像、前記予め定められた領域に対して予め定められた大きさを有する有彩色画像、又は前記複数の有彩色画像のうちの同一色で個数が少ない有彩色画像が含まれている場合に、前記予め定められた特徴を有する有彩色画像が前記予め定められた領域に対応する領域内で強調された無彩色画像となるように、前記取得手段により取得された有彩色画像情報を無彩色画像情報に変換するか、又は前記予め定められた特徴を有する有彩色画像が前記予め定められた領域に対応する領域内で模様により強調された有彩色画像となるように、前記取得手段により取得された有彩色画像情報を変換する変換手段として機能させるためのものである。
【００１３】
また、請求項７に記載のプログラムは、コンピュータを、請求項１〜請求項５の何れか１項に記載の画像形成装置を構成する各手段として機能させるためのものである。
【発明の効果】
【００１４】
請求項１、請求項６及び請求項７に記載の発明によれば、本構成を有していない場合に比較して、予め定められた領域内に含まれている複数の有彩色画像のうち、予め定められた特徴を有する有彩色画像が何れであるかを視覚的に容易に判別することができる、という効果が得られる。
【００１５】
また、請求項２、請求項４及び請求項５に記載の発明によれば、本構成を有していない場合に比較して、予め定められた領域内に含まれている複数の有彩色画像のうち、予め定められた特徴を有する有彩色画像が何れであるかを視覚的により一層容易に判別することができる、という効果が得られる。
【００１６】
更に、請求項３に記載の発明によれば、予め定められた特徴を有する有彩色画像以外の有彩色画像について色彩に応じた無彩色画像を得ることができる、という効果が得られる。
【発明を実施するための最良の形態】
【００１７】
以下、図面を参照して、本発明を実施するための最良の形態について詳細に説明する。
【００１８】
［第１の実施形態］
図１には、本実施形態に係る画像処理装置１０の構成を示すブロック図が示されている。
【００１９】
同図に示されるように、画像処理装置１０は、画像読取部１２、ＣＰＵ（中央処理装置）１４、ＲＯＭ（Read Only Memory）１６、ＲＡＭ（Random Access Memory）１８、ＮＶＭ（Non Volatile Memory)２０、ＵＩ（ユーザ・インタフェース）パネル２２、及び外部インタフェース２４、画像処理部２６、プリンタ２８、及びファクシミリ３０（以下、「ＦＡＸ３０」とも言う。）を含んで構成されている。
【００２０】
画像読取部１２は、原稿に光を照射してスキャンし、原稿から反射された光をミラーやレンズを通してＣＣＤ（電荷結合素子）に集め、ＣＣＤで光電変換されたアナログ画像情報をＡＤ変換して、デジタル画像情報にすることによって原稿を読み取る。
【００２１】
ＣＰＵ１４は、画像処理装置１０全体の動作を司るものである。ＲＯＭ１６は、画像処理装置１０の作動を制御する制御プログラム、後述する画像処理プログラムや各種パラメータ等を予め記憶する記憶手段として機能するものである。
【００２２】
ＲＡＭ１８は、各種プログラムの実行時のワークエリア等として用いられるものである。ＮＶＭ２０は、装置の電源スイッチが切られても保持しなければならない各種情報を記憶するものである。
【００２３】
ＵＩパネル２２は、ディスプレイ上に透過型のタッチパネルが重ねられたタッチパネルディスプレイ等から構成され、各種情報がディスプレイの表示面に表示されると共に、ユーザがタッチパネルに触れることにより所望の情報や指示が入力される。本実施形態では、ユーザによりＵＩパネル２２を介して、画像読取部１２による原稿の読み取り開始の指示や、画像読取部１２によって得られた画像情報に対する画像処理の各種設定が行われる。
【００２４】
外部インタフェース２４は、プリンタ２８及びＦＡＸ３０に接続され、画像情報をプリンタ２８及びＦＡＸ３０に送信すると共に、プリンタ２８及びＦＡＸ３０からの各種情報の受信を行うためのものである。なお、プリンタ２８は、画像情報に基づいて、記録用紙に当該画像情報により示される画像を形成するためのものである。ＦＡＸ３０は、ファクシミリ電文の送受信を行うものである。
【００２５】
画像処理部２６は、画像読取部１２によって原稿の画像を読み取ることによって得られる画像情報に対して各種画像処理を行う。具体的には、画像情報に基づいて、色・温度補正処理、画像密度変換処理・ハイパートーン処理、ハイパーシャープネス処理、特殊画像処理、変倍処理等の画像処理を行う。
【００２６】
画像読取部１２、ＣＰＵ１４、ＲＯＭ１６、ＲＡＭ１８、ＮＶＭ２０、ＵＩパネル２２、及び外部インタフェース２４、画像処理部２６は、システムバスＢＵＳを介して相互に接続されている。従って、ＣＰＵ１４は、ＲＯＭ１６、ＲＡＭ１８、ＮＶＭ２０へのアクセスと、ＵＩパネル２２への各種情報の表示と、ＵＩパネル２２に対するユーザの操作指示内容の把握と、プリンタ２８及びＦＡＸ３０との外部インタフェース２４を介した各種情報の送受信と、画像読取部１２及び画像処理部２６からの各種情報の取得と、画像読取部１２及び画像処理部２６の作動の制御と、を各々行う。
【００２７】
図２には、本実施形態に係る画像処理装置１０の画像処理部２６の構成を示すブロック図が示されている。
【００２８】
同図に示されるように、画像処理部２６は、取得部２６ａ、画像・色識別部２６ｂ、判定部２６ｃ、及び変換部２６ｄを備えている。
【００２９】
取得部２６ａは、画像読取部１２によって原稿を読み取ることによって得られた画像情報を取得する。なお、本実施形態に係る取得部２６ａでは、原稿に複数の有彩色画像が描かれている場合、当該複数の有彩色画像の各々を示す有彩色画像情報が取得される。
【００３０】
画像・色識別部２６ｂは、取得部２６ａによって取得された画像情報に基づいて、原稿に描かれている有彩色画像の種類を識別すると共に、有彩色画像の色彩を識別する。なお、本実施形態では、有彩色画像が、有彩色を有する文字（以下、「有彩色文字」とも言う。）、有彩色を有する線画（以下、「有彩色線画」とも言う。）、及び有彩色で塗りつぶされた領域（以下、「有彩色領域」とも言う。）の何れかとされている。
【００３１】
判定部２６ｃは、画像・色識別部２６ｂにより識別された有彩色画像が予め定められた特徴を有する有彩色画像であるか否かを判定する。
【００３２】
変換部２６ｄは、判定部２６ｃでの判定結果に基づいて、画像・色識別部２６ｂにより識別された有彩色画像を示す有彩色画像情報を無彩色画像を示す無彩色画像情報に変換する。
【００３３】
次に、図３を参照しながら、画像処理装置１０のＣＰＵ１４に有彩色文字を示す有彩色画像情報が入力された際の画像処理装置１０の作用を説明する。なお、図３は、この際にＣＰＵ１４により実行される画像処理プログラムの処理の流れを示すフローチャートであり、当該プログラムはＲＯＭ１６の所定領域に予め記憶されている。なお、ここでは錯綜を回避するために、予め定められた領域（ここでは、原稿）内に含まれる複数の有彩色文字の各々を示す有彩色画像情報がＣＰＵ１４に入力された場合について説明する。
【００３４】
同図のステップ１００では、有彩色画像情報を画像処理部２６に出力すると共に、画像処理部２６に対して、当該有彩色画像情報により示される有彩色文字の色彩の識別を実行するように指示する。これに応じて、画像処理部２６では、有彩色画像情報により示される有彩色文字の色彩の識別が行われる。すなわち、上記予め定められた領域に対応する領域内に含まれる全ての有彩色文字が同じ色彩であるか否かが判定され、その結果を示す情報がＣＰＵ１４に入力される。
【００３５】
次のステップ１０２では、画像処理部２６による有彩色文字の色彩の識別の終了待ちを行い、ステップ１０４にて、上記予め定められた領域に対応する領域内に含まれる全ての有彩色文字が同じ色彩であるか否かを判定し、肯定判定となった場合には、ステップ１０６へ移行し、画像処理部２６に対して、各有彩色文字を示す有彩色画像情報を無彩色を有する文字（以下、「無彩色文字」とも言う。）を示す無彩色画像情報に変換するように指示する。これに応じて、画像処理部２６では、有彩色画像情報が無彩色画像情報に変換される。なお、本第１の実施形態では、画像処理部２６により、有彩色画像情報が当該有彩色画像情報により示される有彩色文字が当該有彩色文字の色彩に対応する無彩色を有する無彩色文字となるように無彩色画像情報に変換される。より具体的には、画像処理部２６により、有彩色画像情報が当該有彩色画像情報により示される有彩色文字が当該有彩色文字の色彩に応じた一定濃度の無彩色を有する無彩色文字となるように無彩色画像情報に変換される。この変換方法としては、画像処理部２６が複数の有彩色（例えば、２４ビットカラー）の各々に対して濃度の異なる無彩色が対応付けられたテーブルを参照しながら有彩色画像情報を無彩色画像情報に変換する方法が例示される。
【００３６】
次のステップ１０８では、上記ステップ１０６の指示に応じた画像処理部２６による有彩色画像情報から無彩色画像情報への変換の終了待ちを行い、その後にステップ１２４へ移行する。
【００３７】
一方、ステップ１０４において否定判定となった場合にはステップ１１０へ移行し、画像処理部２６に対して、上記予め定められた領域に対応する領域内に含まれる全ての有彩色文字のうちの１つから有彩色文字の色彩を示す色情報を取得することを指示する。これに応じて画像処理部２６は、上記予め定められた領域に対応する領域内に含まれる全ての有彩色文字のうちの１つから色情報を取得する。
【００３８】
次のステップ１１２では、上記ステップ１１０又は後述するステップ１１８の指示に応じた画像処理部２６による色情報の取得待ちを行う。
【００３９】
次のステップ１１４では、画像処理部２６に対して、上記ステップ１１０の指示に応じて取得した色情報により示される色彩のカウントを行うことを指示する。これに応じて、画像処理部２６では、色個数格納用メモリ（図示省略）における色情報により示される色彩に対応するメモリ領域のカウント値が１インクリメントされる。例えば、画像処理部２６が２４ビットカラーの画像処理に対応している場合、画像処理部２６の色個数格納用メモリには２４ビットカラー分のメモリ領域が設けられており、上記ステップ１１０の指示に応じて取得した色情報により示される色彩に対応したメモリ領域のカウント値が１インクリメントされる。なお、当該メモリ領域のカウント値は、本画像処理プログラムが終了すると同時にリセットされる。
【００４０】
次のステップ１１６では、上記予め定められた領域に対応する領域内に含まれる全ての有彩色文字の色情報を取得したか否かを判定し、否定判定となった場合にはステップ１１８へ移行し、画像処理部２６に対して、上記予め定められた領域に対応する領域内に含まれる有彩色文字のうちの色情報を取得していない１つの有彩色文字から色情報を取得することを指示し、ステップ１１２へ戻る。上記ステップ１１８の指示に応じて画像処理部２６は、上記予め定められた領域に対応する領域内に含まれる有彩色文字のうちの色情報を取得していない１つの有彩色文字から色情報を取得する。
【００４１】
一方、ステップ１１６において肯定判定となった場合にはステップ１２０へ移行し、画像処理部２６に対して、予め定められた特徴を有する有彩色文字が上記予め定められた領域に対応する領域内で最も強調された無彩色文字となり、かつ、当該予め定められた特徴を有する有彩色文字以外の有彩色文字が当該有彩色文字の色に対応する無彩色を有する無彩色文字となるように、上記予め定められた領域に対応する領域内に含まれる全ての有彩色文字を対象にした、有彩色画像情報から無彩色画像情報への変換指示を行う。
【００４２】
これに応じて、画像処理部２６では、上記予め定められた領域に対応する領域内に含まれる全ての有彩色文字のうちの同一色で個数が最も少ない有彩色文字が上記予め定められた領域に対応する領域内で最も強調された無彩色文字となり、かつ、当該全ての有彩色文字のうちの同一色で個数が最も少ない有彩色文字以外の有彩色文字が当該有彩色文字の色に対応する無彩色を有する無彩色文字となるように、当該全ての有彩色文字を対象にして、有彩色画像情報から無彩色画像情報への変換が行われる。
【００４３】
すなわち、前述した色彩毎のメモリ領域のうち、カウント値が最も小さいメモリ領域に対応する色彩を有する有彩色文字が上記予め定められた領域に対応する領域内で最も強調された無彩色文字となり、かつ、色個数格納用メモリにおけるカウント値が最も小さいメモリ領域以外のメモリ領域に対応する色彩を有する有彩色文字が当該有彩色文字の色彩に応じた一定濃度の無彩色を有する無彩色文字となるように、上記予め定められた領域に対応する領域内に含まれる全ての有彩色文字を対象にして、有彩色画像情報から無彩色画像情報への変換が行われる。
【００４４】
なお、本第１の実施形態に係る画像処理部２６では、一例として図４（ａ）に示すように、上記予め定められた領域に対応する領域内に含まれる全ての有彩色文字が共に同じフォントである赤色文字と青色文字とで構成されており、赤色文字よりも青色文字の数の方が少ない場合、図４（ｂ）に示すように、当該全ての有彩色文字を黒色文字に変換すると共に、青色文字に対応する黒色文字の背景色を灰色にすることにより他の文字よりも目立つようにしているが、これに限らず、例えば、青色文字に対応する黒色文字の背景部分を予め定められた無彩色模様で装飾したり、青色文字に対応する黒色文字を他の黒色文字よりも大きくしたり、他の黒色文字とは異なる書体にしたりすることにより目立たせても良い。このように、予め定められた特徴を有する有彩色文字が上記予め定められた領域に対応する領域内で最も強調された無彩色文字となるのであれば如何なる変換を行っても良い。
【００４５】
次のステップ１２２では、上記ステップ１２０の指示に応じた画像処理部２６による有彩色画像情報から無彩色画像情報への変換の終了待ちを行い、その後にステップ１２４へ移行する。
【００４６】
ステップ１２４では、画像処理部２６から無彩色画像情報を取得し、本画像処理プログラムを終了する。
【００４７】
次に、図５を参照しながら、画像処理装置１０のＣＰＵ１４に有彩色領域を示す有彩色画像情報が入力された際の画像処理装置１０の作用を説明する。なお、図５は、この際にＣＰＵ１４により実行される画像処理プログラムの処理の流れを示すフローチャートであり、当該プログラムはＲＯＭ１６の所定領域に予め記憶されている。なお、ここでは錯綜を回避するために、予め定められた領域（ここでは、原稿）内に含まれる複数の有彩色領域の各々を示す有彩色画像情報がＣＰＵ１４に入力された場合について説明する。
【００４８】
同図のステップ２００では、有彩色画像情報を画像処理部２６に出力すると共に、画像処理部２６に対して、当該有彩色画像情報により示される有彩色領域の色彩の識別を実行するように指示する。これに応じて、画像処理部２６では、有彩色画像情報により示される有彩色領域の色彩の識別が行われる。すなわち、上記予め定められた領域に対応する領域内に含まれる全ての有彩色領域が同じ色彩であるか否かが判定され、その結果を示す情報がＣＰＵ１４に入力される。
【００４９】
次のステップ２０２では、画像処理部２６による有彩色領域の色彩の識別の終了待ちを行い、ステップ２０４にて、上記予め定められた領域に対応する領域内に含まれる全ての有彩色領域が同じ色彩であるか否かを判定し、肯定判定となった場合には、ステップ２０６へ移行し、画像処理部２６に対して、各有彩色領域を示す有彩色画像情報を無彩色を有する領域（以下、「無彩色領域」とも言う。）を示す無彩色画像情報に変換するように指示する。これに応じて、画像処理部２６では、有彩色画像情報が無彩色画像情報に変換される。なお、本第１の実施形態では、画像処理部２６により、有彩色画像情報が当該有彩色画像情報により示される有彩色領域が当該有彩色領域の色彩に対応する無彩色を有する無彩色領域となるように無彩色画像情報に変換される。より具体的には、画像処理部２６により、有彩色画像情報が当該有彩色画像情報により示される有彩色領域が当該有彩色領域の色彩に応じた一定濃度の無彩色を有する無彩色領域となるように無彩色画像情報が変換される。
【００５０】
次のステップ２０８では、上記ステップ２０６の指示に応じた画像処理部２６による有彩色画像情報から無彩色画像情報への変換の終了待ちを行い、その後にステップ２２４へ移行する。
【００５１】
一方、ステップ２０４において否定判定となった場合にはステップ２１０へ移行し、画像処理部２６に対して、上記予め定められた領域に対応する領域内に含まれる全ての有彩色領域のうちの１つから有彩色領域の色彩を示す色情報を取得することを指示する。これに応じて画像処理部２６は、上記予め定められた領域に対応する領域内に含まれる全ての有彩色領域のうちの１つから色情報を取得する。
【００５２】
次のステップ２１２では、上記ステップ２１０又は後述するステップ２１８の指示に応じた画像処理部２６による色情報の取得待ちを行う。
【００５３】
次のステップ２１４では、画像処理部２６に対して、上記ステップ２１０の指示に応じて取得した色情報により示される色彩のカウントを行うことを指示する。これに応じて画像処理部２６では、前述した有彩色文字の場合と同様に、色個数格納用メモリ（図示省略）における色情報により示される色彩に対応するメモリ領域のカウント値が１インクリメントされる。
【００５４】
次のステップ２１６では、上記予め定められた領域に対応する領域内に含まれる全ての有彩色領域の色情報を取得したか否かを判定し、否定判定となった場合にはステップ２１８へ移行し、上記予め定められた領域に対応する領域内に含まれる有彩色領域のうちの色情報を取得していない１つの有彩色領域から色情報を取得することを指示し、ステップ２１２へ戻る。上記ステップ２１８の指示に応じて画像処理部２６は、上記予め定められた領域に対応する領域内に含まれる有彩色領域のうちの色情報を取得していない１つの有彩色領域から色情報を取得する。
【００５５】
一方、ステップ２１６において肯定判定となった場合にはステップ２２０へ移行し、画像処理部２６に対して、予め定められた特徴を有する有彩色領域が上記予め定められた領域に対応する領域内で最も強調された無彩色領域となり、かつ、当該予め定められた特徴を有する有彩色領域以外の有彩色領域が当該有彩色領域の色に対応する無彩色を有する無彩色領域となるように、上記予め定められた領域に対応する領域内に含まれる全ての有彩色領域を対象にした、有彩色画像情報から無彩色画像情報への変換指示を行う。
【００５６】
これに応じて、画像処理部２６では、上記予め定められた領域に対応する領域内に含まれる全ての有彩色領域のうちの同一色で個数が最も少ない有彩色領域が上記予め定められた領域に対応する領域内で最も強調された無彩色領域となり、かつ、当該全ての有彩色領域のうちの同一色で個数が最も少ない有彩色領域以外の有彩色領域が当該有彩色領域の色に対応する無彩色を有する無彩色領域となるように、当該全ての有彩色領域を対象にして、有彩色画像情報から無彩色画像情報への変換が行われる。
【００５７】
すなわち、前述した色彩毎のメモリ領域のうち、カウント値が最も小さいメモリ領域に対応する色彩を有する有彩色領域が上記予め定められた領域に対応する領域内で最も強調された無彩色領域となり、かつ、色個数格納用メモリにおけるカウント値が最も小さいメモリ領域以外のメモリ領域に対応する色を有する有彩色領域が当該有彩色領域の色彩に応じた一定濃度の無彩色を有する無彩色領域となるように、上記予め定められた領域に対応する領域内に含まれる全ての有彩色領域を対象にして、有彩色画像情報から無彩色画像情報への変換が行われる。
【００５８】
例えば、一例として図６（ａ）に示されるように、上記予め定められた領域に対応する領域内に赤色の有彩色領域が６個、青色の有彩色領域が６個、緑色の有彩色領域が３個含まれている場合、このうち、緑色の有彩色領域の個数が最も少ないので、図６（ｂ）に示されるように、緑色の有彩色領域に対応する無彩色領域の内部に網掛け模様が描画され、それ以外の有彩色領域に対応する無彩色領域には網掛け模様が施されず、有彩色領域の色彩に応じた一定濃度の無彩色を有する無彩色領域とされる。なお、有彩色領域を無彩色領域に変換する形態は図６に示す形態に限定されるものではなく、予め定められた特徴を有する有彩色領域が上記予め定められた領域に対応する領域内で最も強調された無彩色領域となるのであれば如何なる変換を行っても良い。
【００５９】
次のステップ２２２では、上記ステップ２２０の指示に応じた画像処理部２６による有彩色画像情報から無彩色画像情報への変換の終了待ちを行い、その後にステップ２２４へ移行する。
【００６０】
ステップ２２４では、画像処理部２６から無彩色画像情報を取得し、本画像処理プログラムを終了する。
【００６１】
次に、図７を参照しながら、画像処理装置１０のＣＰＵ１４に有彩色線画を示す有彩色画像情報が入力された際の画像処理装置１０の作用を説明する。なお、図７は、この際にＣＰＵ１４により実行される画像処理プログラムの処理の流れを示すフローチャートであり、当該プログラムはＲＯＭ１６の所定領域に予め記憶されている。なお、ここでは錯綜を回避するために、予め定められた領域（ここでは、原稿）内に含まれる複数の有彩色線画の各々を示す有彩色画像情報がＣＰＵ１４に入力された場合について説明する。
【００６２】
同図のステップ３００では、有彩色画像情報を画像処理部２６に出力すると共に、画像処理部２６に対して、当該有彩色画像情報により示される有彩色線画の色彩の識別を実行するように指示する。これに応じて、画像処理部２６では、有彩色画像情報により示される有彩色線画の色彩の識別が行われる。すなわち、上記予め定められた領域に対応する領域内に含まれる全ての有彩色線画が同じ色彩であるか否かが判定され、その結果を示す情報がＣＰＵ１４に入力される。
【００６３】
次のステップ３０２では、画像処理部２６による有彩色線画の色彩の識別の終了待ちを行い、ステップ３０４にて、上記予め定められた領域に対応する領域内に含まれる全ての有彩色線画が同じ色であるか否かを判定し、肯定判定となった場合には、ステップ３０６へ移行し、画像処理部２６に対して、各有彩色線画を示す有彩色画像情報を無彩色を有する線画（以下、「無彩色線画」とも言う。）を示す無彩色画像情報に変換するように指示する。これに応じて、画像処理部２６では、有彩色画像情報が無彩色画像情報に変換される。なお、本第１の実施形態では、画像処理部２６により、有彩色画像情報が当該有彩色画像情報により示される有彩色線画が当該有彩色線画の色彩に対応する無彩色を有する無彩色線画となるように無彩色画像情報に変換される。より具体的には、画像処理部２６により、有彩色画像情報が当該有彩色画像情報により示される有彩色線画が当該有彩色線画の色彩に応じた一定濃度の無彩色を有する無彩色線画となるように無彩色画像情報に変換される。
【００６４】
次のステップ３０８では、上記ステップ３０６の指示に応じた画像処理部２６による有彩色画像情報から無彩色画像情報への変換の終了待ちを行い、その後にステップ３２４へ移行する。
【００６５】
一方、ステップ３０４において否定判定となった場合にはステップ３１０へ移行し、画像処理部２６に対して、上記予め定められた領域に対応する領域内に含まれる全ての有彩色線画のうちの１つから有彩色線画の色彩を示す色情報を取得することを指示する。これに応じて画像処理部２６は、上記予め定められた領域に対応する領域内に含まれる全ての有彩色線画のうちの１つから色情報を取得する。
【００６６】
次のステップ３１２では、上記ステップ３１０又は後述するステップ３１８の指示に応じた画像処理部２６による色情報の取得待ちを行う。
【００６７】
次のステップ３１４では、画像処理部２６に対して、上記ステップ３１０の指示に応じて取得した色情報により示される色彩のカウントを行うことを指示する。これに応じて画像処理部２６では、前述した有彩色文字の場合と同様に、色個数格納用メモリ（図示省略）における色情報により示される色彩に対応するメモリ領域のカウント値が１インクリメントされる。
【００６８】
次のステップ３１６では、上記予め定められた領域に対応する領域内に含まれる全ての有彩色線画の色情報を取得したか否かを判定し、否定判定となった場合にはステップ３１８へ移行し、画像処理部２６に対して、上記予め定められた領域に対応する領域内に含まれる有彩色線画のうちの色情報を取得していない１つの有彩色文字から色情報を取得することを指示し、ステップ３１２へ戻る。上記ステップ３１８の指示に応じて画像処理部２６は、上記予め定められた領域に対応する領域内に含まれる有彩色線画のうちの色情報を取得していない１つの有彩色線画から色情報を取得する。
【００６９】
一方、ステップ３１６において肯定判定となった場合にはステップ３２０へ移行し、画像処理部２６に対して、予め定められた特徴を有する有彩色線画が上記予め定められた領域に対応する領域内で最も強調された無彩色線画となり、かつ、当該予め定められた特徴を有する有彩色線画以外の有彩色線画が当該有彩色線画の色に対応する無彩色を有する無彩色線画となるように、上記予め定められた領域に対応する領域内に含まれる全ての有彩色線画を対象にした、有彩色画像情報から無彩色画像情報への変換指示を行う。
【００７０】
これに応じて、画像処理部２６では、上記予め定められた領域に対応する領域内に含まれる全ての有彩色線画のうちの同一色で個数が最も少ない有彩色線画が上記予め定められた領域に対応する領域内で最も強調された無彩色線画となり、かつ、当該全ての有彩色線画のうちの同一色で個数が最も少ない有彩色線画以外の有彩色線画が当該有彩色線画の色に対応する無彩色を有する無彩色線画となるように、当該全ての有彩色線画を対象にして、有彩色画像情報から無彩色画像情報への変換が行われる。
【００７１】
すなわち、前述した色彩毎のメモリ領域のうち、カウント値が最も小さいメモリ領域に対応する色を有する有彩色線画が上記予め定められた領域に対応する領域内で最も強調された無彩色線画となり、かつ、色個数格納用メモリにおけるカウント値が最も小さいメモリ領域以外のメモリ領域に対応する色を有する有彩色線画が当該有彩色線画の色彩に応じた一定濃度の無彩色を有する無彩色線画となるように、上記予め定められた領域に対応する領域内に含まれる全ての有彩色線画を対象にして、有彩色画像情報から無彩色画像情報への変換が行われる。
【００７２】
なお、本第１の実施形態に係る画像処理部２６では、一例として図８（ａ）に示すように、上記予め定められた領域に対応する領域内に含まれる全ての有彩色線画が青色実線と赤色実線とで構成されており、青色実線よりも赤色実線の数の方が少ない場合、図８（ｂ）に示すように、青色実線を対応する無彩色を有する実線に変換すると共に、赤色実線を無彩色の１点鎖線に変換することにより青色実線に対応する無彩色線よりも赤色実線に対応する無彩色線を目立たせるようにしているが、これに限らず、例えば、青色実線及び赤色実線を黒色実線に変換すると共に、赤色実線に対応する黒色実線の背景部分を灰色にすることにより目立たせるようにしても良い。また、赤色実線に対応する黒色実線の背景部分に無彩色模様を付しても良い。このように、予め定められた特徴を有する有彩色線画が上記予め定められた領域に対応する領域内で最も強調された無彩色線画となるのであれば如何なる変換を行っても良い。
【００７３】
次のステップ３２２では、上記ステップ３２０の指示に応じた画像処理部２６による有彩色画像情報から無彩色画像情報への変換の終了待ちを行い、その後にステップ３２４へ移行する。
【００７４】
ステップ３２４では、画像処理部２６から無彩色画像情報を取得し、本画像処理プログラムを終了する。
【００７５】
なお、本実施形態に係る画像処理装置１０では、ＣＰＵ１４が画像処理部２６から無彩色画像情報を取得すると、取得した無彩色画像情報をＮＶＭ２０に記憶したり、プリンタ２８に対して記録用紙への無彩色画像の形成を要求したり、ＦＡＸ３０に対して外部機器への無彩色画像情報の送信を要求したりする。
【００７６】
［第２の実施形態］
次に、第２の実施形態について説明する。なお、本第２の実施形態に係る画像処理装置の構成は上記第２の実施形態に係る画像処理装置１０と同様であるので、ここでの説明は省略する。
【００７７】
次に、図９を参照しながら、本第２の実施形態に係る画像処理装置１０のＣＰＵ１４に有彩色画像を示す有彩色画像情報が入力された際の画像処理装置１０の作用を説明する。なお、図９は、この際にＣＰＵ１４により実行される画像処理プログラムの処理の流れを示すフローチャートであり、当該プログラムはＲＯＭ１６の所定領域に予め記憶されている。なお、ここでは錯綜を回避するために、予め定められた領域（ここでは、原稿）内に含まれる複数の有彩色画像の各々を示す有彩色画像情報がＣＰＵ１４に入力された場合について説明する。
【００７８】
同図のステップ４００では、有彩色画像情報を画像処理部２６に出力し、次のステップ４０２にて、画像処理部２６に対して、上記予め定められた領域に対応する領域内に含まれる全ての有彩色画像の色情報を取得することを指示する。これに応じて画像処理部２６は、上記予め定められた領域に対応する領域内に含まれる全ての有彩色画像の色情報を取得する。
【００７９】
次のステップ４０４では、上記ステップ４０２の指示に応じた画像処理部２６による色情報の取得の終了待ちを行い、次のステップ４０６にて、画像処理部２６に対して、上記予め定められた領域に対応する領域内に含まれる全ての有彩色画像のうちの１つを選択するように指示する。これに応じて、画像処理部２６は、当該全ての有彩色画像のうちの１つを選択する。
【００８０】
次のステップ４０８では、上記ステップ４０６又は後述するステップ４２４の指示に応じた画像処理部２６による有彩色画像の選択の終了待ちを行う。
【００８１】
次のステップ４１０では、画像処理部２６に対して、選択した有彩色画像と当該有彩色画像に隣接する背景部分とのコントラスト値（明度差）を算出するように指示する。これに応じて、画像処理部２６は、選択した有彩色画像と当該有彩色画像に隣接する背景部分とのコントラスト値を算出する。
【００８２】
次のステップ４１２では、上記ステップ４１０の指示に応じた画像処理部２６によるコントラスト値の算出の終了待ちを行い、次のステップ４１４にて、画像処置部２６での算出結果を取得し、ステップ４１６へ移行する。
【００８３】
ステップ４１６では、上記ステップ４１４で取得した算出結果、すなわち、選択した有彩色画像と当該有彩色画像に隣接する背景部分とのコントラスト値が予め定められた閾値を超えているか否かを判定し、否定判定となった場合にはステップ４１８へ移行する。
【００８４】
ステップ４１８では、画像処理部２６に対して、選択した有彩色画像が当該有彩色線画の色彩に対応する無彩色を有する無彩色画像となるように有彩色画像情報を無彩色画像情報に変換するように指示し、ステップ４２２へ移行する。上記ステップ４１８の指示に応じて、画像処理部２６では、選択した有彩色画像が当該有彩色線画の色彩に対応する無彩色を有する無彩色画像となるように、有彩色画像情報が無彩色画像情報に変換される。
【００８５】
一方、ステップ４１６において肯定判定となった場合にはステップ４２０へ移行し、画像処理部２６に対して、選択した有彩色画像が上記予め定められた領域に対応する領域内で最も強調された無彩色画像となるように、当該有彩色画像を対象にした有彩色画像情報から無彩色画像情報への変換指示を行う。
【００８６】
これに応じて、画像処理部２６では、選択した有彩色画像が上記予め定められた領域に対応する領域内で最も強調された無彩色画像となるように、当該有彩色画像を対象にして、有彩色画像情報から無彩色画像情報への変換が行われる。ここでは、例えば、当該無彩色画像の周囲を波形の破線で囲んだり、予め定められた無彩色模様を背景部分に付したりすることにより他の無彩色画像よりも目立つように、有彩色画像情報から無彩色画像情報への変換が行われる。
【００８７】
次のステップ４２２では、上記予め定められた領域に対応する領域内に含まれる全ての有彩色画像が無彩色画像に変換されたか否かを判定し、否定判定となった場合にはステップ４２４へ移行し、画像処理部２６に対して、上記予め定められた領域に対応する領域内に含まれる全ての有彩色画像のうちの無彩色画像への変換が行われていない１つの有彩色画像を選択するように指示し、ステップ４０８へ戻る。上記ステップ４２４の指示に応じて、画像処理部２６は、上記予め定められた領域に対応する領域内に含まれる全ての有彩色画像のうちの無彩色画像への変換が行われていない１つの有彩色画像を選択する。
【００８８】
一方、ステップ４２２において肯定判定となった場合にはステップ４２６へ移行し、画像処理部２６から無彩色画像情報を取得し、本画像処理プログラムを終了する。
【００８９】
以上、本発明を上記各実施形態を用いて説明したが、本発明の技術的範囲は上記各実施形態に記載の範囲には限定されない。発明の主旨を逸脱しない範囲で上記各実施形態に多様な変更または改良を加えることができ、当該変更または改良を加えた形態も本発明の技術的範囲に含まれる。
【００９０】
また、上記各実施形態は、特許請求の範囲に記載された発明を限定するものではなく、また、上記各実施形態の中で説明されている特徴の組み合わせの全てが発明の解決手段に必須であるとは限らない。上記各実施形態には種々の段階の発明が含まれており、開示される複数の構成要件における状況に応じた組み合わせにより種々の発明が抽出される。上記各実施形態に示される全構成要件から幾つかの構成要件が削除されても、効果が得られる限りにおいて、この幾つかの構成要件が削除された構成が発明として抽出される。
【００９１】
例えば、上記第１の実施形態では、予め定められた領域内に含まれる複数の有彩色画像のうちの同一色で個数が最も少ない有彩色画像が当該予め定められた領域に対応する領域内で最も強調された無彩色画像となるように有彩色画像情報を無彩色画像情報に変換する場合の形態例を挙げ、上記第２の実施形態では、予め定められた領域内に含まれる複数の有彩色画像のうちの背景部分とのコントラスト値が予め定められた閾値を超える有彩色画像が当該予め定められた領域に対応する領域内で最も強調された無彩色画像となるように有彩色画像情報を無彩色画像情報に変換する場合の形態例を挙げて説明したが、本発明はこれに限定されるものではなく、例えば、予め定められた領域内に含まれる複数の有彩色画像のうちの予め定められた色（一例として、赤色。）を有する有彩色画像が当該予め定められた領域に対応する領域内で最も強調された無彩色画像となるように有彩色画像情報を無彩色画像情報に変換しても良い。また、予め定められた領域内に含まれる複数の有彩色画像のうちの予め定められた形状（一例として、三角形。）を有する有彩色画像が当該予め定められた領域に対応する領域内で最も強調された無彩色画像となるように有彩色画像情報を無彩色画像情報に変換しても良い。更に、予め定められた領域内に含まれる複数の有彩色画像のうちの当該予め定められた領域に対して予め定められた大きさを有する有彩色画像（一例として、当該予め定められた領域の４割を占める有彩色画像。）が当該予め定められた領域に対応する領域内で最も強調された無彩色画像となるように有彩色画像情報を無彩色画像情報に変換しても良い。
【００９２】
なお、予め定められた領域内に含まれる複数の有彩色画像のうちの同一色で個数が最も少ない、との条件、予め定められた領域内に含まれる複数の有彩色画像のうちの背景部分とのコントラスト値が予め定められた閾値を超える、との条件、予め定められた領域内に含まれる複数の有彩色画像のうちの予め定められた色を有する、との条件、予め定められた領域内に含まれる複数の有彩色画像のうちの予め定められた形状を有する、との条件、予め定められた領域内に含まれる複数の有彩色画像のうちの当該予め定められた領域に対して予め定められた大きさを有する、との条件、のうちの予め定められた複数の条件を満足する有彩色画像が当該予め定められた領域に対応する領域内で最も強調された無彩色画像となるように有彩色画像情報を無彩色画像情報に変換しても良い。
【００９３】
また、上記第１の実施形態では、複数の有彩色画像のうちの同一色で個数が最も少ない有彩色画像を最も強調された無彩色画像となるように有彩色画像情報を無彩色画像情報に変換する場合の形態例を挙げて説明したが、本発明はこれに限定されるものではなく、例えば、予め定められた領域に対応する領域内において使用されている全ての有彩色を対象にして有彩色毎のピクセル数をカウントし、カウントした有彩色毎のピクセル数で最小のピクセル数の有彩色を有する有彩色画像を最も強調された無彩色画像となるように有彩色画像情報を無彩色画像情報に変換しても良い。
【００９４】
また、上記各実施形態では、予め定められた特徴を有する有彩色画像が予め定められた領域内に対応する領域内で強調された無彩色画像となるように有彩色画像情報を無彩色画像情報に変換する場合の形態例を挙げて説明したが、本発明はこれに限定されるものではなく、予め定められた特徴を有する有彩色画像が予め定められた領域内に対応する領域内で模様により強調された有彩色画像となるように有彩色画像情報を変換するようにしても良い。
【００９５】
また、上記各実施形態では、画像読取部１２により読み取られた有彩色画像情報を無彩色画像情報に変換する場合の形態例を挙げて説明したが、本発明はこれに限定されるものではなく、例えば、ＲＯＭ１６やＮＶＭ２０などの記憶手段に有彩色画像情報を予め記憶しておき、当該有彩色画像情報を無彩色画像情報に変換するようにしても良い。
【００９６】
また、上記各実施形態では、画像処理プログラムがＲＯＭ１６に予め記憶されている場合の形態例を挙げて説明したが、本発明はこれに限定されるものではなく、画像処理プログラムをＣＤ−ＲＯＭやＤＶＤ−ＲＯＭ、ＵＳＢメモリなどのコンピュータ読み取り可能な記録媒体に格納した状態で提供する形態を適用してもよいし、有線又は無線による通信手段を介して配信する形態を適用しても良い。
【００９７】
その他、上記各実施形態で説明した画像処理装置１０の構成（図１及び図２を参照。）は一例であり、本発明の主旨を逸脱しない範囲内において状況に応じて変更しても良い。
【００９８】
また、上記各実施形態で説明した画像処理プログラムの処理の流れ（図３、図５、図７及び図９を参照。）も一例であり、本発明の主旨を逸脱しない範囲内において不要なステップを削除したり、新たなステップを追加したり、処理順序を入れ替えたりしても良い。
【図面の簡単な説明】
【００９９】
【図１】実施形態に係る画像処理装置の構成を示すブロック図である。
【図２】実施形態に係る画像処理部の構成を示すブロック図である。
【図３】第１の実施形態に係る画像処理プログラムの処理の流れを示すフローチャートである。
【図４】第１の実施形態に係る画像処理装置の作用の説明に供する図であり、（ａ）は、予め定められた領域に対応する領域に含まれる複数の有彩色文字の一例を示し、（ｂ）は、予め定められた領域に対応する領域に含まれる全ての有彩色文字を無彩色文字に変換した場合の一例を示す。
【図５】第１の実施形態に係る画像処理プログラムの処理の流れを示すフローチャートである。
【図６】第１の実施形態に係る画像処理装置の作用の説明に供する図であり、（ａ）は、予め定められた領域に対応する領域に含まれる複数の有彩色領域の一例を示し、（ｂ）は、予め定められた領域に対応する領域に含まれる全ての有彩色領域を無彩色領域に変換した場合の一例を示す。
【図７】第１の実施形態に係る画像処理プログラムの処理の流れを示すフローチャートである。
【図８】第１の実施形態に係る画像処理装置の作用の説明に供する図であり、（ａ）は、予め定められた領域に対応する領域に含まれる複数の有彩色線画の一例を示し、（ｂ）は、予め定められた領域に対応する領域に含まれる全ての有彩色線画を無彩色線画に変換した場合の一例を示す。
【図９】第２の実施形態に係る画像処理プログラムの処理の流れを示すフローチャートである。
【符号の説明】
【０１００】
１０  画像処理装置
２６  画像処理部
２６ａ  取得部（取得手段）
２６ｄ  変換部（変換手段）
【図１】
2010068417.tif 000003
【図２】
2010068417.tif 000004
【図３】
2010068417.tif 000005
【図４】
2010068417.tif 000006
【図５】
2010068417.tif 000007
【図６】
2010068417.tif 000008
【図７】
2010068417.tif 000009
【図８】
2010068417.tif 000010
【図９】
2010068417.tif 000011